【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
ビデオ・チャンネルを変更する方法であって、
現在選択されているディジタル・ビデオ・チャンネルのビデオ信号を格納するステップと、
前記現在選択されているディジタル・ビデオ・チャンネルから新たなビデオ・チャンネルに変更するリクエストを受信するステップと、
前記リクエストされた新たなビデオ・チャンネルを選択するステップと、
前記リクエストされた新たなビデオ・チャンネルを選択している間に、バッファ・アンダーフロー・イベントが発生するまで、以前に選択された格納済のディジタル・ビデオ・チャンネルを表す出力ビデオ信号を提供するステップと、
を含む、前記方法。
【請求項２】
前記リクエストされた新たなビデオ・チャンネルが選択されるまで、前記バッファ・アンダーフロー・イベントが発生する場合には、ビデオ出力を停止し、そうでない場合には、前記リクエストされた新たなビデオ・チャンネルが選択されていれば、前記リクエストされた新たなビデオ・チャンネルを表すビデオ出力信号を提供するステップと、
前記ビデオ出力が停止されていれば、前記新たなビデオ・チャンネルが選択されたとき、ビデオ出力の空白を終了し、前記新たなビデオ・チャンネルを表すビデオ出力信号を提供するステップを含む請求項１に記載の方法。
【請求項３】
前記現在選択されているディジタル・ビデオ・チャンネルから新たな前記ビデオ・チャンネルに変更するリクエストを受信するステップが、前記現在選択されているディジタル・ビデオ・チャンネルから新たなディジタル・ビデオ・チャンネルおよび新たなアナログ・ビデオ・チャンネルの一方である前記リクエストされた新たなビデオ・チャンネルに変更するリクエストを受信するステップを含む請求項１に記載の方法。
【請求項４】
前記新たなビデオ・チャンネルが選択されたとき、ビデオ出力の停止を終了し、前記新たなビデオ・チャンネルを表すビデオ出力信号を提供するステップが、前記新たなビデオ・チャンネルの有効な信号パラメータを決定することによって示される前記新たなビデオ・チャンネルが選択されたとき、ビデオ出力の停止を終了し、前記新たなビデオ・チャンネルを表すビデオ出力信号を提供するステップを含む請求項２に記載の方法。
【請求項５】
前記新たなビデオ・チャンネルの前記有効な信号パラメータは、アナログ・ビデオ・チャンネルの場合は同期信号であり、ディジタル・ビデオ・チャンネルの場合は有効なＰＩＤである請求項４に記載の方法。
【請求項６】
前記現在選択されているディジタル・ビデオ・チャンネルから新たなビデオ・チャンネルに変更するリクエストを受信するステップが、前記現在選択されているディジタル・ビデオ・チャンネルから新たなディジタル・ビデオ・チャンネルに変更するリクエストを受信するステップを含み、
前記リクエストされた新たなビデオ・チャンネルを選択するステップが、前記リクエストされた新たなディジタル・ビデオ・チャンネルが以前に選択されたディジタル・ビデオ・チャンネルのサブチャンネルであるときに前記リクエストされた新たなディジタル・ビデオ・チャンネルを選択する場合には、ＭＰＥＧトランスポート・ストリーム復号器内のＰＩＤフィルタを変更するステップを含み、そうでない場合、前記リクエストされた新たなディジタル・ビデオ・チャンネルが以前に選択されたディジタル・ビデオ・チャンネルのサブチャンネルでないときに前記ＭＰＥＧトランスポート・ストリーム復号器のＰＩＤフィルタおよびセレクタ周波数を変更するステップを含む請求項１に記載の方法。
【請求項７】
ビデオ信号受信機を動作させる方法であって、
現在選択されているディジタル・ビデオ・チャンネルのディジタル・ビデオ・チャンネル・ビデオ・パケットをビデオ・パケット・バッファに格納するステップと、
新たなビデオ・チャンネルを取得するリクエストを受信するステップと、
前記リクエストされた新たなビデオ・チャンネルを選択することを試行するステップと、
前記リクエストされた新たなビデオ・チャンネルの選択を試行している間に、前記ビデオ・パケット・バッファ内にバッファ・アンダーフロー・イベントが発生するまで、前記ビデオ・パケット・バッファからの前記格納済のディジタル・ビデオ・パケットを提供するステップとを含む、前記方法。
【請求項８】
前記リクエストされた新たなビデオ・チャンネルが選択されるまで、前記バッファ・アンダーフロー・イベントが発生する場合には、ビデオ出力を停止し、そうでない場合には、前記リクエストされた新たなビデオ・チャンネルが選択されていれば、前記リクエストされた新たなビデオ・チャンネルを表すビデオ出力信号を提供するステップと、
前記ビデオ出力が停止されていれば、前記新たなビデオ・チャンネルが選択されたとき、ビデオ出力の停止を終了し、前記新たなビデオ・チャンネルを表すビデオ出力信号を提供するステップを含む請求項７に記載の方法。
【請求項９】
前記リクエストされた新たなビデオ・チャンネルを取得するための前記リクエストを受信するステップが、新たなディジタル・ビデオ・チャンネルおよび新たなアナログ・ビデオ・チャンネルの一方である新たなビデオ・チャンネルを取得するリクエストを受信するステップを含む請求項７に記載の方法。
【請求項１０】
前記新たなビデオ・チャンネルが選択されたとき、ビデオ出力の停止を終了し、前記新たなビデオ・チャンネルを表すビデオ出力信号を提供するステップが、前記新たなビデオ・チャンネルの有効な信号パラメータを決定することによって示される前記新たなビデオ・チャンネルが選択されたとき、ビデオ出力の停止を終了し、前記新たなビデオ・チャンネルを表すビデオ出力信号を提供するステップを含む請求項８に記載の方法。
【請求項１１】
前記新たなビデオ・チャンネルの前記有効な信号パラメータは、アナログ・ビデオ・チャンネルの場合は同期信号であり、ディジタル・ビデオ・チャンネルの場合は有効なＰＩＤである請求項１０に記載の方法。
【請求項１２】
前記リクエストされた新たなビデオ・チャンネルを取得するためのリクエストを受信するステップが、新たなディジタル・ビデオ・チャンネルを取得するためのリクエストを受信するステップを含み、
前記リクエストされた新たなビデオ・チャンネルを選択することを試行するステップが、前記リクエストされた新たなディジタル・ビデオ・チャンネルが以前に選択されたディジタル・ビデオ・チャンネルのサブチャンネルであるときに前記リクエストされた新たなディジタル・ビデオ・チャンネルを選択することを試行する場合には、ＭＰＥＧトランスポート・ストリーム復号器のＰＩＤフィルタを変更するステップを含み、そうでない場合、前記リクエストされた新たなディジタル・ビデオ・チャンネルが以前に選択されたディジタル・ビデオ・チャンネルのサブチャンネルでないときに前記ＭＰＥＧトランスポート・ストリーム復号器のＰＩＤフィルタおよびセレクタ周波数を変更するステップを含む請求項７に記載の方法。
【請求項１３】
ビデオ信号セレクタと、
前記ビデオ信号セレクタに結合されたＭＰＥＧトランスポート・ストリーム復号器と、
前記ＭＰＥＧトランスポート・ストリーム復号器に結合されたビデオ・パケット・バッファと、
前記ビデオ信号セレクタ、前記ＭＰＥＧトランスポート・ストリーム復号器、および前記ビデオ・パケット・バッファに結合され、前記ビデオ信号セレクタ、前記ＭＰＥＧトランスポート・ストリーム復号器、および前記ビデオ・パケット・バッファを制御するプロセッサとを含み、
前記プロセッサに関連付けられたプログラム・インストラクションは、前記プロセッサに、
現在選択されているディジタル・ビデオ・チャンネルのビデオ信号を格納するステップと、
現在選択されているディジタル・ビデオ・チャンネルから新たなビデオ・チャンネルに変更するリクエストを受信するステップと、
前記ビデオ信号セレクタに前記リクエストされた新たなビデオ・チャンネルを選択することを試行させるステップと、
前記ビデオ信号セレクタが前記リクエストされた新たなビデオ・チャンネルを選択することを試行している間に、前記ビデオ・パケット・バッファが、前記ビデオ・パケット・バッファにバッファ・アンダーフロー・イベントが発生するまで、以前に選択されたディジタル・ビデオ・チャンネルからのディジタル・ビデオ・チャンネル・ビデオ・パケットを提供するようにするステップと、を実行させる、ビデオ信号プロセッサ。
【請求項１４】
前記プロセッサに関連付けられた前記プログラム・インストラクションは、前記プロセッサに、前記ビデオ信号セレクタによって前記リクエストされた新たなビデオ・チャンネルが選択されるまで、前記バッファ・アンダーフロー・イベントが発生する場合には、ビデオ出力を停止し、そうでない場合には、前記ビデオ信号チューナによって前記リクエストされた新たなビデオ・チャンネルが選択されていれば、前記リクエストされた新たなビデオ・チャンネルを表すビデオ出力信号を提供するステップと、
前記ビデオ出力が停止されていれば、前記新たなビデオ・チャンネルが選択されたとき、ビデオ出力の停止を終了し、前記新たなビデオ・チャンネルを表すビデオ出力信号を提供するステップと、をさらに実行させる請求項１３に記載のビデオ信号プロセッサ。
【請求項１５】
前記プログラム・インストラクションは、前記プロセッサに、
新たなディジタル・ビデオ・チャンネルおよび新たなアナログ・ビデオ・チャンネルの一方である前記リクエストされた新たなビデオ・チャンネルを変更する前記リクエストを受信するステップを実行させる請求項１３に記載のビデオ信号プロセッサ。
【請求項１６】
前記プログラム・インストラクションは、前記プロセッサに、前記新たなビデオ・チャンネルの有効な信号パラメータを決定することによって示される前記新たなビデオ・チャンネルが前記ビデオ信号セレクタにより選択されとき、ビデオ出力の停止を終了し、前記新たなビデオ・チャンネルを表すビデオ出力信号を提供するステップを実行させる請求項１４に記載のビデオ信号プロセッサ。
【請求項１７】
前記新たなビデオ・チャンネルの前記有効な信号パラメータは、アナログ・ビデオ・チャンネルの場合は同期信号であり、ディジタル・ビデオ・チャンネルの場合は有効なＰＩＤである請求項１６に記載のビデオ信号プロセッサ。
【請求項１８】
前記プログラム・インストラクションは、さらに、前記プロセッサに、新たなディジタル・ビデオ・チャンネルを取得するためのリクエストを受信するステップを含む前記リクエストされた新たなビデオ・チャンネルを変更するための前記リクエストを受信するステップと、
前記ビデオ信号セレクタに、前記リクエストされた新たなディジタル・ビデオ・チャンネルが以前に選択されたディジタル・ビデオ・チャンネルのサブチャンネルであるときに前記リクエストされた新たなディジタル・ビデオ・チャンネルを選択することを試行する場合には、ＭＰＥＧトランスポート・ストリーム復号器のＰＩＤフィルタを変更することによって、そうでない場合、前記リクエストされた新たなディジタル・ビデオ・チャンネルが以前に選択されたディジタル・ビデオ・チャンネルのサブチャンネルでないときに前記ＭＰＥＧトランスポート・ストリーム復号器のＰＩＤフィルタおよびセレクタ周波数を変更することによって、前記リクエストされた新たなビデオ・チャンネルを選択することを試行させるステップを実行させる請求項１３に記載のビデオ信号プロセッサ。
【手続補正２】
【補正対象書類名】明細書
【補正対象項目名】０００２
【補正方法】変更
【補正の内容】
【０００２】
テレビジョンのチャンネルを変更する際、チャンネルを変更するコマンドを受信してから新しく取得したチャンネルの映像を提供するまでの期間が存在する。従って、ビデオ（映像）が表示されない期間が存在する。この期間、即ち、レイテンシー（待ち時間）は、幾つかの要因によるものである。最も重大な要因は、テレビジョン・チャンネル・チューナが新しいチャンネルにチューニングを行う、または新しいチャンネルを取得するのに要する時間である。
【手続補正３】
【補正対象書類名】明細書
【補正対象項目名】０００３
【補正方法】変更
【補正の内容】
【０００３】
ユーザは、できるだけ早く新しく選択されたチャンネルを見ることを望むため、多くのチャンネル変更スキームは、チューナの応答時間を短縮することを重視している。このようなスキームは、ある程度効果的であるが、チャンネルの変更の間スクリーン上で壊れたマクロ・ブロックやエラーを表示することを回避するために、スクリーンに何も表示されない待ち時間が依然として存在する。
【手続補正４】
【補正対象書類名】明細書
【補正対象項目名】０００４
【補正方法】変更
【補正の内容】
【０００４】
通常、チャンネルの変更が行われる際、まず、ビデオは表示されなくなり、チューナのチューニング周波数が変更される。新しいチャンネルが取得されると、ビデオ出力の停止が解除される。これにより、チャンネルの変更の間に壊れたマクロ・ブロック、色のミスマッチなど、異常な動作をユーザが見ることが阻止される。しかしながら、このビデオが表示されない期間は、新しいチャンネルが表示されるまでに、長すぎるように思われる。
【手続補正５】
【補正対象書類名】明細書
【補正対象項目名】０００５
【補正方法】変更
【補正の内容】
【０００５】
従って、上述の説明から明らかなように、要求されているものは、あるテレビジョン・チャンネルから別のテレビジョン・チャンネルに変更する間のビデオが表示されない期間を可能な限り短縮するビデオ信号プロセッサである。
【手続補正６】
【補正対象書類名】明細書
【補正対象項目名】０００８
【補正方法】変更
【補正の内容】
【０００８】
（発明の概要）
あるテレビジョン・チャンネルから別のテレビジョン・チャンネルに変更する間のビデオが表示されない時間を短縮するためのシステムおよび方法は、新しいチャンネルからビデオが得られるまで、古いチャンネルのビデオをできる限り提供する。これは、チューニングの状況に応じてビデオを表示されないようにすること、または、ビデオを表示されないことなく達成される。
【手続補正７】
【補正対象書類名】明細書
【補正対象項目名】０００９
【補正方法】変更
【補正の内容】
【０００９】
特に、ビデオ・バッファのアンダーフロー（アンダーフローの状態またはイベント）が発生するまで、ビデオ・バッファに格納された古いチャンネルを表すビデオ出力信号が提供される。これは、システムが新たなテレビジョン・チャンネルを取得する間に行われる（即ち、アナログまたは異なる周波数のディジタル・テレビジョン・チャンネルの場合はセレクタ、または、古いディジタル・テレビジョン・チャンネルのディジタル・テレビジョン・サブチャンネルの場合はＭＰＥＧトランスポート・ストリーム復号器のＰＩＤフィルタ）。ビデオ・パケット・バッファのアンダーフローの状態またはイベントが発生する前に新たなビデオ出力信号が取得される場合には、ビデオの出力を停止してもよいし、停止しなくてもよい。そうでない場合には、ビデオ出力の停止は短期間のみ発生する。これより、約４００〜５００ｍｓの短縮になる。
【手続補正８】
【補正対象書類名】明細書
【補正対象項目名】００１０
【補正方法】変更
【補正の内容】
【００１０】
一形態においては、本発明は、ビデオ信号プロセッサにおいてテレビジョン・チャンネルを変更する方法を提供する。この方法は、（ａ）現在チューニングされているディジタル・テレビジョン・チャンネルのビデオ信号を格納するステップと、（ｂ）現在チューニングされているディジタル・テレビジョン・チャンネルから新たなテレビジョン・チャンネルに変更するリクエストを受信するステップと、（ｃ）リクエストされた新たなテレビジョン・チャンネルにチューニングするステップと、（ｄ）リクエストされた新たなテレビジョン・チャンネルにチューニングしている間に、バッファ・アンダーフロー・イベントが発生するまで、以前にチューニングされた格納済のディジタル・テレビジョン・チャンネルを表すビデオ出力信号を提供するステップと、（ｅ）リクエストされた新たなテレビジョン・チャンネルにチューニングされるまで、バッファ・アンダーフロー・イベントが発生する場合には、ビデオ出力を停止にし、そうでない場合には、リクエストされた新たなテレビジョン・チャンネルがチューニングされていれば、リクエストされた新たなテレビジョン・チャンネルを表すビデオ出力信号を提供するステップと、（ｆ）ビデオ出力が停止されていれば、新たなテレビジョン・チャンネルがチューニングされたとき、ビデオ出力の停止を終了し、新たなテレビジョン・チャンネルを表すビデオ出力信号を提供するステップと、を含む。
【手続補正９】
【補正対象書類名】明細書
【補正対象項目名】００１１
【補正方法】変更
【補正の内容】
【００１１】
別の形態においては、本発明は、ビデオ信号プロセッサを動作させる方法を提供する。この方法は、（ａ）現在チューニングされているディジタル・テレビジョン・チャンネルのディジタル・テレビジョン・チャンネル・ビデオ・パケットをビデオ・バッファに格納するステップと、（ｂ）新たなテレビジョン・チャンネルを取得するリクエストを受信するステップと、（ｃ）リクエストされた新たなテレビジョン・チャンネルにチューニングすることを試行するステップと、（ｄ）リクエストされた新たなテレビジョン・チャンネルへのチューニングを試行している間に、ビデオ・バッファにバッファ・アンダーフロー・イベントが発生するまで、ビデオ・バッファからの格納済のディジタル・テレビジョン・チャンネル・ビデオ・パケットを提供するステップと、（ｅ）リクエストされた新たなテレビジョン・チャンネルにチューニングされるまで、バッファ・アンダーフロー・イベントが発生する場合には、ビデオ出力を停止し、そうでない場合には、リクエストされた新たなテレビジョン・チャンネルにチューニングされていれば、リクエストされた新たなテレビジョン・チャンネルを表すビデオ出力信号を提供するステップと、（ｆ）ビデオ出力が停止されていれば、新たなテレビジョン・チャンネルにチューニングされたとき、ビデオ出力の停止を終了し、新たなテレビジョン・チャンネルを表すビデオ出力信号を提供するステップを含む。
【手続補正１０】
【補正対象書類名】明細書
【補正対象項目名】００１２
【補正方法】変更
【補正の内容】
【００１２】
別の形態においては、本発明は、ビデオ信号プロセッサを提供する。このビデオ信号プロセッサは、ビデオ信号チューナと、このビデオ信号チューナに結合されたＭＰＥＧトランスポート・ストリーム復号器と、このＭＰＥＧトランスポート・ストリーム復号器に結合されたビデオ・バッファと、ビデオ信号チューナ、ＭＰＥＧトランスポート・ストリーム復号器、およびビデオ・バッファに結合され、ビデオ信号チューナ、ＭＰＥＧトランスポート・ストリーム復号器、およびビデオ・バッファを制御するプロセッサとを含み、このプロセッサにはプログラム・インストラクションが関連付けられている。プログラム・インストラクションは、プロセッサに、（ａ）現在チューニングされているディジタル・テレビジョン・チャンネルのビデオ信号を格納するステップと、（ｂ）現在チューニングされているディジタル・テレビジョン・チャンネルから新たなテレビジョン・チャンネルに変更するリクエストを受信するステップと、（ｃ）ビデオ信号チューナにリクエストされた新たなテレビジョン・チャンネルにチューニングすることを試行させるステップと、（ｄ）ビデオ信号チューナがリクエストされた新たなテレビジョン・チャンネルにチューニングすることを試行している間に、ビデオ・バッファが、このビデオ・バッファにバッファ・アンダーフロー・イベントが発生するまで、以前にチューニングされたディジタル・テレビジョン・チャンネルからのディジタル・テレビジョン・チャンネル・ビデオ・パケットを提供するようにするステップと、（ｅ）テレビジョン信号チューナによってリクエストされた新たなテレビジョン・チャンネルにチューニングされるまで、バッファ・アンダーフロー・イベントが発生する場合には、ビデオ出力を停止し、そうでない場合には、ビデオ信号チューナによってリクエストされた新たなテレビジョン・チャンネルにチューニングされていれば、リクエストされた新たなテレビジョン・チャンネルを表すビデオ出力信号を提供するステップと、（ｆ）ビデオ出力が停止されていれば、新たなテレビジョン・チャンネルにチューニングされたとき、ビデオ出力の停止を終了し、新たなテレビジョン・チャンネルを表すビデオ出力信号を提供するステップとを実行させる。
【手続補正１１】
【補正対象書類名】明細書
【補正対象項目名】００２５
【補正方法】変更
【補正の内容】
【００２５】
ビデオ信号プロセッサ２０は、さらに、ディジタル・テレビジョン・チャンネルにチューニングされる場合にチューナ３０からＭＰＥＧトランスポート・ストリームを受信するように動作し、構成され、および／または適しているトランスポート・ストリーム復号器（ＴＳＤ：  ｔｒａｎｓｐｏｒｔ  ｓｔｒｅａｍ  ｄｅｃｏｄｅｒ）３８を含む。ＴＳＤ３８は、ＭＰＥＧトランスポート・ストリームを復号化し、ＭＰＥＧビデオＰＥＳ（ｐａｃｋｅｔ  ｅｌｅｍｅｎｔａｒｙ  ｓｔｒｅａｍ）をビデオ・パケット（チャンネル）・バッファ４６に提供するように動作し、構成され、および／または適している。ＴＳＤ３８は、リクエストされたパケット識別子（ＰＩＤ）に従ってＭＰＥＧトランスポート・ストリームからフィルタをかけて適切なデータを取得するように動作し、構成され、および／または適している。
【手続補正１２】
【補正対象書類名】明細書
【補正対象項目名】００２８
【補正方法】変更
【補正の内容】
【００２８】
ビデオ信号プロセッサ２０は、ビデオ出力を停止し、チューナ３０を介して新たなチャンネルにチューニングし、ビデオ出力３６の停止を終了するように動作する。本発明の原理に従って、ディジタル・チャンネルから新たなチャンネル（ディジタルまたはアナログ）にチューニングする際、ビデオ・パケット・バッファ４６に格納された古いチャンネルからのビデオ出力信号を、ビデオ・パケット・バッファ４６のバッファ・アンダーフローの状態またはイベントが発生するまで、（上述した様々なデータ処理ブロックを介して）提供する。ディジタル・チャンネルからの変更の場合には、バッファ・アンダーフローの状態が発生するかチューナが新たなテレビジョン・チャンネルを取得するまでビデオ出力は停止されない。
【手続補正１３】
【補正対象書類名】明細書
【補正対象項目名】００２９
【補正方法】変更
【補正の内容】
【００２９】
バッファ・アンダーフローの状態が発生する前に新たなテレビジョン・チャンネルが取得された場合には、ビデオ出力の停止はほとんど瞬間的なものである（即ち、比較的に短い）。なぜならば、古いビデオが停止するとすぐに新たなビデオ出力信号の準備ができているからである。バッファ・アンダーフローの状態の後、新たなテレビジョン・チャンネルが取得される場合には、新たなビデオを開始する前に当初に古いビデオ出力を停止する場合よりも長い期間に渡って古いビデオの出力信号が提供されている。これにより、４００〜５００ｍｓの時間の短縮になる。
【手続補正１４】
【補正対象書類名】明細書
【補正対象項目名】００３１
【補正方法】変更
【補正の内容】
【００３１】
アナログからアナログへのモードでは、ステップ６４において、現在のテレビジョン信号のタイプ（即ち、ビデオ信号プロセッサが現在チューニングしているチャンネル）がアナログであるかどうかが判定される。判定が肯定的（Ｙ）である場合には、ステップ６６において、ビデオ出力は停止される。その後、ステップ７０において、選択されたアナログ・テレビジョン・チャンネルがチューナにおいてチューニングされる。ステップ７２において、チューニングが成功したかどうかが判定される。判定が否定的（Ｎ）である場合には、チューニングの失敗がステップ８２において報告され、ステッ９４においてプログラムが終了する。判定が肯定的（Ｙ）である場合には、ステップ７４において、最後のチャンネルがアナログであったかどうかが判定される。判定が肯定的（Ｙ）である場合には、ステップ８４において、有効なアナログ・テレビジョン信号が検出された後、ビデオ出力の停止が終了する。これには、チューニングされたアナログ・テレビジョン・チャンネルにおいて有効な同期信号を検出することを伴う。その後、ステップ９４において、プログラムが終了する。従って、アナログ・チャンネルからアナログ・チャンネルにチューニングされる。
【手続補正１５】
【補正対象書類名】明細書
【補正対象項目名】００３２
【補正方法】変更
【補正の内容】
【００３２】
アナログからディジタルへのモードでは、ステップ６４において、現在のテレビジョン信号のタイプがアナログであるかどうかが判定される。判定が肯定的（Ｙ）である場合には、ステップ６６において、ビデオ信号が停止される。その後、ステップ７０において、選択されたディジタル・テレビジョン信号がチューナにおいてチューニングされる。ステップ７２において、チューニングが成功したかどうかが判定される。判定が否定的（Ｎ）である場合には、チューニングの失敗がステップ８２において報告され、ステップ９４においてプログラムが終了する。判定が肯定的（Ｙ）である場合には、ステップ７４において、最後のチャンネルがアナログであったかどうかが判定される。判定が肯定的（Ｙ）である場合には、ステップ８４において、有効なディジタル・テレビジョン信号が検出された後、ビデオ出力の停止が終了する。その後、ステップ９４において、プログラムが終了する。従って、アナログ・チャンネルからディジタル・チャンネルにチューニングされる。
【手続補正１６】
【補正対象書類名】明細書
【補正対象項目名】００３３
【補正方法】変更
【補正の内容】
【００３３】
ディジタルからアナログへのモードでは、ステップ６４において、現在のテレビジョン信号のタイプがアナログであるかどうかが判定される。判定が否定的（Ｎ）である場合には、ステップ６８において、チューニング中のチャンネルの物理的な周波数が以前のチャンネルの物理的な周波数と同じであるかどうかが判定される。判定が否定的（Ｎ）である場合には、ステップ７０において、選択されたアナログ・チャンネルに、チューナによってチューニングされる。ステップ７２において、チューニングが成功したかどうかが判定される。判定が否定的（Ｎ）である場合には、チューニングの失敗がステップ８２において報告され、ステップ９４においてプログラムが終了する。判定が肯定的（Ｙ）である場合には、ステップ７４において、最後のチャンネルがアナログであったかどうかが判定される。判定が否定的（Ｎ）である場合には、ステップ７６において、ビデオ信号が停止されているかどうかが判定される。ビデオ信号が停止されていない場合には（判定が否定的である場合のＮ）、ステップ８６において、ビデオ信号が停止され、プログラム・フローは、ステップ７８に進み、ＴＳＤ  ＰＩＤフィルタ（図２参照）におけるＰＩＤが更新される。ビデオ信号が停止されている場合には（判定が肯定的である場合のＹ）、ステップ７８において、ＴＳＤ  ＰＩＤフィルタ（図２参照）におけるＰＩＤが更新される。その後、ステップ８０において、ビデオ出力の停止が終了し、ステップ９４においてプログラムが終了する。
【手続補正１７】
【補正対象書類名】明細書
【補正対象項目名】００３４
【補正方法】変更
【補正の内容】
【００３４】
プログラム・フロー６０において、ディジタル・チャンネルから開始してアナログ・チャンネルに移行する際に停止されるビデオ出力は存在しないように思える。ビデオ出力の停止は、後述する図４のプログラム・フロー１００によって発生することがある。このプログラム・フロー１００は、このプログラム・フロー６０と同時に実行される。従って、ステップ７６において、ビデオ出力が停止されているかどうかの判定に対する回答が肯定的（Ｙ）となることがある。なぜならば、プログラム・フロー１００によって、即ち、チャンネル・バッファ・アンダーフロー・イベントが発生したときに停止されているからである。
【手続補正１８】
【補正対象書類名】明細書
【補正対象項目名】００３５
【補正方法】変更
【補正の内容】
【００３５】
ディジタルからディジタルへの周波数およびＰＩＤの更新のモードでは、（即ち、ディジタル・チャンネルから別の周波数のディジタル・チャンネルに移行する場合）、ステップ６４において、現在のテレビジョン信号のタイプがアナログであるかどうかが判定される。判定が否定的（Ｎ）である場合には、ステップ６８において、チューニングされているチャンネルの物理的な周波数が以前のチャンネルの物理的な周波数と同じであるかどうかが判定される。判定が否定的（Ｎ）である場合には、ステップ７０において、選択されたアナログ・チャンネルにチューナによってチューニングされる。ステップ７２において、チューニングが成功したかどうかが判定される。判定が否定的（Ｎ）である場合には、チューニングの失敗がステップ８２において報告され、ステップ９４においてプログラムが終了する。判定が肯定的（Ｙ）である場合には、ステップ７４において、最後のチャンネルがアナログであったかどうかが判定される。判定が否定的（Ｎ）である場合には、ステップ７６において、ビデオ信号が停止されているかどうかが判定される。ビデオ信号が停止されていない場合には（判定が否定的である場合のＮ）、ステップ８６において、ビデオ信号が停止され、プログラム・フローは、ステップ７８に進み、ＴＳＤ  ＰＩＤフィルタ（図２参照）におけるＰＩＤが更新される。ビデオ出力信号が停止されている場合には（判定が肯定的である場合のＹ）、ステップ７８において、ＴＳＤ  ＰＩＤフィルタ（図２参照）におけるＰＩＤが更新される。その後、ステップ８０において、ビデオ出力の停止が終了し、ステップ９４においてプログラムが終了する。
【手続補正１９】
【補正対象書類名】明細書
【補正対象項目名】００３６
【補正方法】変更
【補正の内容】
【００３６】
プログラム・フロー６０において、ディジタル・チャンネルから開始して別の周波数のディジタル・チャンネルに移行する際に停止されているビデオ出力は存在しないように思える。ビデオ出力の停止は、後述する図４のプログラム・フロー１００によって発生することがある。このプログラム・フロー１００は、このプログラム・フロー６０と同時に実行される。従って、ステップ７６において、ビデオ出力が停止されたかどうかの判定に対する回答が肯定的（Ｙ）となることがある。なぜなら、プログラム・フロー１００によって、即ち、チャンネル・バッファ・アンダーフロー・イベントが起こったときに停止されているからである。
【手続補正２０】
【補正対象書類名】明細書
【補正対象項目名】００３７
【補正方法】変更
【補正の内容】
【００３７】
最後に、ディジタルからディジタルへのＰＩＤ更新のみのモードでは（即ち、ディジタル・チャンネルから同一の周波数ではあるが異なるサブチャンネルであるディジタル・チャンネルに移行する場合）、ステップ６４において、現在のテレビジョン信号のタイプがアナログであるかどうかが判定される。判定が否定的（Ｎ）である場合には、ステップ６８において、チューニング中のチャンネルの物理的な周波数が以前のチャンネルの物理的な周波数と同じであるかどうかが判定される。判定が肯定的（Ｙ）である場合には、ステップ８８において、ビデオ出力が停止される。ステップ９０において、ＴＳＤ  ＰＩＤフィルタ（図２参照）におけるＰＩＤが更新される。ステップ９２において、ビデオ出力の停止が終了し、その後、ステップ９４においてプログラムが終了する。
【手続補正２１】
【補正対象書類名】明細書
【補正対象項目名】００３８
【補正方法】変更
【補正の内容】
【００３８】
図４を参照すると、本発明の原理に従ったビデオ信号プロセッサ２０のための例示的なプログラム・フローを概ね参照符号１００によって示すフローチャートが描かれている。プログラム・フロー１００は、プログラム・フロー６０のプログラム・スレッドと並列または同時に実行されるプログラム・スレッドである。プログラム・フロー１００は、ステップ１０２によって表されるチャンネル・バッファ・アンダーフロー・イベントである。これは、特に、ディジタルからアナログへのモード、ディジタルからディジタルへの周波数およびＰＩＤ更新のモード、さらに、ディジタルからディジタルへのＰＩＤのみの更新のモードで発生する。これは、アナログ・チャンネルからアナログまたはディジタル・チャンネルに移行する際には発生しない。なぜならば、アナログ・テレビジョン信号にはバッファが存在しないからである。特に、バッファ・アンダーフローの状態が発生するまでは、ビデオ出力は停止されない。
【手続補正２２】
【補正対象書類名】明細書
【補正対象項目名】００３９
【補正方法】変更
【補正の内容】
【００３９】
ステップ１０２において、チャンネル・バッファ・アンダーフロー・イベントが検出される。その後、ステップ１０４において、新たなチャンネルのチューニングが終了したかどうかが検出される。判定が否定的（Ｎ）である場合には、ステップ１０６において、ビデオ出力は停止される。その後、ステップ１０８において、このＰＩＤのためのビデオの復号化を停止し、ステップ１１２においてプログラム・フローが終了する。しかしながら、ステップ１０４において、チューニングが終了している場合（判定が肯定的である場合のＹ）には、ステップ１１０において、チャンネル・バッファ・アンダーフロー・イベントが報告され、ステップ１１２において、プログラム・フローが終了する。本明細書中で使用される用語「ビデオ信号プロセッサ」は、ディスプレイ・スクリーン（一般に、ＴＶセットと呼ばれる）を備えるテレビジョン（ＴＶ）受信機、ビデオ・カセット・レコーダ（ＶＣＲ）などのディスプレイ・スクリーンを備えていないＴＶ受信機、ビデオ・カセット・プレイヤー（ＶＣＰ）、セット・トップ・ボックス（例えば、ケーブル・ボックス）などのビデオ信号処理装置を含み、本明細書中で使用される用語「チューナ」、「チューニング」は、セレクタ、選択を含む。
【手続補正２３】
【補正対象書類名】図面
【補正対象項目名】図３
【補正方法】変更
【補正の内容】
【図３】
2008503181.tif 000001
【手続補正２４】
【補正対象書類名】図面
【補正対象項目名】図４
【補正方法】変更
【補正の内容】
【図４】
2008503181.tif 000002